(57)【特許請求の範囲】
【請求項１】
可動家具部分（２）、特に軸周囲で旋回可能に取り付けられた家具部分を作動させるための構造体（１）であって、
当該構造体は、前記可動家具部分（２）を閉位置から開位置に駆出させるための少なくとも一つの駆出装置（３）を備え、前記少なくとも一つの駆出装置（３）は、少なくとも一つの力蓄積手段（４）を含んでおり、
当該構造体は、前記可動家具部分（２）の開動作または閉動作によって、前記少なくとも一つの力蓄積手段（４）に荷重をかけるための荷重装置（５）を備え、
前記少なくとも一つの力蓄積手段（４）に荷重をかける時に力を伝達するために少なくとも一つのボーデンケーブル（６）が前記少なくとも一つの駆出装置（３）と前記荷重装置（５）との間に配置されており、
前記荷重装置（５）は、開動作または閉動作中にユーザによって前記可動家具部分（２）に印加された力を前記ボーデンケーブル（６）の動作に変換する、
ことを特徴とする構造体（１）。
【請求項２】
前記荷重装置（５）は、少なくとも一つの調節体（７）と少なくとも一つの調節輪郭部（８）とを含んでおり、
前記少なくとも一つの調節体（７）は、前記開動作または前記閉動作の少なくとも一部の間、前記少なくとも一つの調節輪郭部（８）に接触しながら前記少なくとも一つの調節輪郭部（８）に沿って移動する、
ことを特徴とする請求項１記載の構造体（１）。
【請求項３】
前記少なくとも一つの調節輪郭部（８）は、前記少なくとも一つの力蓄積手段（４）に荷重をかけることなく、前記少なくとも一つの調節体（７）と前記少なくとも一つの輪郭部（８）とが相対的に移動する少なくとも一つの中立領域（９）を有している、
ことを特徴とする請求項２記載の構造体（１）。
【請求項４】
前記荷重装置（５）は回転可能に取り付けられたダブルアームレバー（１０）を有しており、
前記少なくとも一つの調節体（７）は、前記ダブルアームレバー（１０）の一方のアーム上に配置されており、
前記ダブルアームレバー（１０）の他方のアームは、前記少なくとも一つのボーデンケーブル（６）の第１端（１１）に動作可能に接続されている、
ことを特徴とする請求項２または３記載の構造体（１）。
【請求項５】
前記少なくとも一つの調節体（７）は、回転体の形態、好適には押圧ローラの形態である、
ことを特徴とする請求項２から４のいずれか１項に記載の構造体（１）。
【請求項６】
前記少なくとも一つの力蓄積手段（４）は、少なくとも一つのバネを含んでいる、
ことを特徴とする請求項１から５のいずれか１項に記載の構造体（１）。
【請求項７】
前記少なくとも一つの駆出装置（３）は、前記少なくとも一つの力蓄積手段（４）によって作動される、少なくとも一つの可動な、好適には直線的に移動可能な駆出要素（１２）を含んでいる、
ことを特徴とする請求項１から６のいずれか１項に記載の構造体（１）。
【請求項８】
前記少なくとも一つのボーデンケーブル（６）の第２端（１３）は、前記少なくとも一つの駆出要素（１２）に接続されている、
ことを特徴とする請求項７記載の構造体（１）。
【請求項９】
前記少なくとも一つの駆出要素（１２）は、制限された距離（１４）にわたって相対的に可動である少なくとも２つの部品（１５、１６）を有している、
ことを特徴とする請求項７または８記載の構造体（１）。
【請求項１０】
前記２つの部品（１５、１６）間には少なくとも一つのバネ（１７）が配置されている、
ことを特徴とする請求項９に記載の構造体（１）。
【請求項１１】
前記少なくとも一つの駆出装置（３）は、少なくとも一つのロック装置（１８）を含み、前記少なくとも一つのロック装置（１８）は、前記少なくとも一つの力蓄積手段（４）が前記少なくとも一つの駆出要素（１２）に及ぼす作用に対抗して前記少なくとも一つの駆出要素（１２）を解除可能にロックする、
ことを特徴とする請求項７から１０のいずれか１項に記載の構造体（１）。
【請求項１２】
前記少なくとも一つのロック装置（１８）は、駆出方向とは反対に押し込むことで解除可能なロック装置である、
ことを特徴とする請求項１１記載の構造体（１）。
【請求項１３】
前記少なくとも一つのロック装置（１８）は、少なくとも一つの傾斜レバー（１９）を含んでいる、
ことを特徴とする請求項１１または１２記載の構造体（１１）。
【請求項１４】
前記少なくとも一つの傾斜レバー（１９）は、
ラッチ突起部（２０）を有し、
傾斜面（２１）を有し、および／または、
少なくとも一つのバネ（２２）によって作用を受ける、
ことを特徴とする請求項１３記載の構造体（１）。
【請求項１５】
当該構造体（１）は、前記可動家具部分（２）のための少なくとも一つの駆動装置（２３）を含んでおり、
前記少なくとも一つの駆動装置（２３）は、前記荷重装置（５）に動作可能に接続されている、
ことを特徴とする請求項１から１４のいずれか１項に記載の構造体（１）。
【請求項１６】
家具枠体（２５）と、前記家具枠体（２５）内にまたは前記家具枠体（２５）上に可動に取り付けられた少なくとも一つの家具部分（２）と、を備えた家具（２４）であって、
当該家具（２４）は、前記少なくとも一つの家具部分（２）を作動させるための、請求項１から１５のいずれか１項に記載の少なくとも一つの構造体（１）を含んでいる、
ことを特徴とする家具（２４）。
【請求項１７】
前記少なくとも一つの家具部分（２）は、軸周囲、好適には水平軸周囲で旋回可能に取り付けられている、
ことを特徴とする請求項１６記載の家具（２４）。
【発明の詳細な説明】
【技術分野】
【０００１】
本発明は、可動家具部分、特に軸周囲で旋回可能に取り付けられた家具部分を作動させるための構造体に関する。この構造体は、可動家具部分を閉位置から開位置に駆出させるための少なくとも一つの駆出装置を含んでおり、その少なくとも一つの駆出装置は、少なくとも一つの力蓄積手段と、可動家具部分の開閉動作によって、少なくとも一つの力蓄積手段に荷重をかけるための荷重装置と、を含んでいる。
【背景技術】
【０００２】
そのような構造体は、優先出願日を有するが、まだ公開されていない、本件出願人の出願番号Ａ３２２／２０１２から知られている。これらは、少なくとも一つの力蓄積手段に荷重をかけた時の力の伝達のため、少なくとも一つの駆出装置と荷重装置との間に比較的に複雑で高価な伝達機構を有している。よって、例えば、非常に大きな空間を必要とする方向変換装置または中間パネルが必要である。これも美観の面から不利である。
【０００３】
従来技術を説明する別な解説は、ＷＯ２０１２／０００６５６、ＷＯ２００８／０２２６７３およびＤＥ２０２０１０００８１３４によって提供されている。
【先行技術文献】
【特許文献】
【０００４】
【特許文献１】Ａ３２２／２０１２
【特許文献２】ＷＯ２０１２／０００６５６
【特許文献３】ＷＯ２００８／０２２６７３
【特許文献４】ＤＥ２０２０１０００８１３４
【発明の概要】
【発明が解決しようとする課題】
【０００５】
本発明の目的は、前述の不利な点を回避し、従来技術に勝る、可動家具部分を作動させるための構造体を提供することである。
【課題を解決するための手段】
【０００６】
この目的を達成するため、この構造体では、少なくとも一つの力蓄積手段に荷重をかけた時に力を伝達するために少なくとも一つのボーデンケーブルが、少なくとも一つの駆出装置と荷重装置との間に配置されている。
【０００７】
ボーデンケーブルという用語は、例えばＤＩＮ７１９８６によって定義された確立された用語である。当業者であれば、それは機械的動作または張力の伝達のための可動機械要素を意味するものと解釈する。本質的に、ボーデンケーブルは、フレキシブルであるが、引張方向において圧縮抵抗性を備えたケーシングで囲まれた、いわゆるボーデンケーブルコア（例えばスチールワイヤまたはワイヤケーブル）を含んでいる。そのケーシングは、ボーデンケーブルが屈曲によってでも力を伝達できるよう、機械的ガイドとして、および、張力を伝達するための支持体として作用する。
【０００８】
本発明の主題との関連でボーデンケーブルを使用することに関する利点は、それが比較的少ない空間を占め、フレキシブルに載置できることである。外観に関しては、ボーデンケーブルを例えば溝などの中に“隠す”ことも可能である。
【０００９】
本発明の有利な１実施態様では、荷重装置は、少なくとも一つの調節体と少なくとも一つの調節輪郭部とを含んでおり、少なくとも一つの調節体は、開動作または閉動作の少なくとも一部の間、少なくとも一つの調節輪郭部に対抗して走行する。異なる動的状態が、少なくとも一つの調節体と少なくとも一つの調節輪郭部との相互作用によって達成できる。特に、少なくとも一つの力蓄積手段を荷重することなく、少なくとも一つの調節体と少なくとも一つの調節輪郭部とが相対的に移動する中立領域を発生させることも可能である。少なくとも一つの調節体と少なくとも一つの調節輪郭部との相互作用による別な大きな利点は、力蓄積手段の荷重と非荷重との間の移行が非常にスムーズで穏やかなものとなるという事実である。
【００１０】
さらに、好適には、少なくとも一つの駆出装置は、少なくとも一つの力蓄積手段によって作用される、少なくとも一つの可動な、好適には直線的に移動可能な駆出要素を含んでいることである。この点において、少なくとも一つの駆出装置が、少なくとも一つの力蓄積手段による作用に対抗して少なくとも一つの駆出要素を解除可能にロックするための少なくとも一つのロック装置を含んでいると有利である。ロック装置は、この場合、例えば傾斜レバーによって具現化できる。本発明の概念からは除外されないロック装置の別な実施形態は、例えばカージオイド形態のロック輪郭部に基づくこともできる。
【００１１】
特許保護は、家具枠体、家具枠体内または家具枠体上に可動に取り付けられた少なくとも一つの家具部分および少なくとも一つの家具部分を作動させるための本発明による少なくとも一つの構造体を含んだ家具にも請求される。その少なくとも一つの家具部分には、回転動作を実行する家具部分（例えば家具扉または家具フラップ扉）や、平行に移動可能な家具部分（例えば引出し）の両方が該当する。
【００１２】
本発明による構造体は、特に、外側支持構造体とその支持構造体に対して上下に移動可能な内側枠体とを有する上方戸棚に関する。ここでは、少なくとも一つのボーデンケーブルは、内側枠体が上に移動するとき、外側からは見られないよう、内側枠体とその家具枠体との間に実質的に配置できる。
【００１３】
本発明のさらに有利な実施態様は従属請求項に定義されており、図面に関連した以降の詳細な説明における本発明のさらなる詳細と利点と共にさらに詳説される。
【図面の簡単な説明】
【００１４】
【図１】図１は、本発明による構造体の１実施例の概略分解図である。
【図２−６】図２から図６は、家具フラップ扉の駆出過程と、それに続く駆出装置の力蓄積手段に荷重をかけるための荷重過程とを説明するために、本発明による構造体の実施例の複数の概略側面図を連続的に示している。
【図７ａ−７ｅ】図７ａから図７ｅは、それらの操作モードを説明するために、駆出装置の複数の概略断面図を連続的に示している。
【発明を実施するための形態】
【００１５】
図１に示す分解図では、構造体１の駆出装置３は、可動であり、さらに詳細には直線的に移動可能で、バネの形態の力蓄積手段４によって作動される駆出要素１２を含んでおり、駆出要素１２は、制限された距離１４（図７ａから図７ｅ参照）にわたって相対的に移動可能である２つの部品１５と１６とを有しており、２つの部品１５と１６との間には圧縮バネ１７が配置されている。駆出要素１２は、平行六面体の収容体２３内で直線的に移動可能に配置されている。駆出装置３の別な重要な部材は、力蓄積手段４によって作動される駆出要素１２を解除可能にロックするためのロック装置１８であり、そのロック装置１８は、駆出方向とは反対側に押し込むことで解除可能なロック装置１８である。ロック装置１８のコア要素は傾斜レバー１９であり、傾斜レバー１９は一方のアーム上にラッチ突起部２０を有しており、他方のアーム上に傾斜面２１（図７ａから図７ｅ参照）を有しており、圧縮バネ２２によって作動される。駆出装置３の作動の正確なモードは、図７ａから図７ｅとの関連でさらに詳説される。
【００１６】
駆出装置３の力蓄積手段４に荷重をかけるための荷重装置５の重要な部材は、調節輪郭部８とダブルアームレバー１０とが回転可能に取り付けられた基部プレート２９である。対応する回転軸はそれぞれ符号３０と３２とで示されている。ダブルアームレバー１０の一方のアームには押圧ローラの形態の調節体７が提供されており、調節体７は調節輪郭部８に対抗して走行する。調節輪郭部８の特徴は、駆出装置３の力蓄積手段４が荷重されないように、調節体７と調節輪郭部８とが相対的に移動する中立部分９の存在である（図６も参照）。
【００１７】
ボーデンケーブル６が、駆出装置３の力蓄積手段４が荷重された時に力を伝達するため、駆出装置３と荷重装置５との間に配置されている。ボーデンケーブル６は、フレキシブルな外側ケーシング３５内で移動可能にガイドされるボーデンンケーブルコア３４を含んでいる。ボーデンケーブルのボーデンケーブルコア３４の第１端１１は、ダブルアームレバー１０の調節体７を有していないアームに動作可能に接続されている。ボーデンケーブルのボーデンケーブルコアの第２端１３は、駆出装置３の駆出要素の後方部品１６に接続されている。
【００１８】
最後に、構造体１は、家具フラップ扉２のための調節駆動装置２３を含んでおり（例えば図２参照）、調節駆動装置２３は一方で調節アーム２６によって家具フラップ扉に接続されており、他方で荷重装置５に動作可能に接続されている。この目的のため、基部プレート２９は調節駆動装置２３に横から取り付けられている。調節駆動装置２３の調節アーム２６（よって調節アーム２６に接続されている家具フラップ扉）と荷重装置５の調節輪郭部８との間の動的連結はピン３１によって提供される。ピン３１はガイドトラック（走行路）２７と２８内でガイドされる。
【００１９】
本発明による構造体の好適実施例の作動モードについては、別な図面に関連してさらに詳説される。
【００２０】
図２は、家具２４を概略的に示す側面図であり、家具２４は、家具枠体２５と、水平軸周囲で旋回可能に取り付けられる家具フラップ扉２の形態で家具枠体２５に可動に取り付けられた家具部分２とを含んでいる。家具フラップ扉２は、ヒンジ（図示せず）によって接続された２つの相互に重ねられたフラップ部分で構成されている。上方フラップ部分は、一方でヒンジ（図示せず）によって家具枠体に接続されており、他方で調節駆動装置２３の調節アーム２６に接続されている。家具フラップ扉２の閉状態では、下方フラップ部分は駆出要素の前方部品１５の接触面に緩く接し、この状態で駆出要素は、前述のロック装置によって力蓄積手段４による作用に対抗して解除可能にロックされる。
【００２１】
本発明の別な大きな利点は、本発明による構造体によって、可動家具部分２をハンドル無しで提供することが可能なことである。開ける目的のため、ユーザは、この場合には折り畳みフラップ扉の下方フラップ部分である家具部分２の前方に軽い圧力を適用するだけでよく、それによって駆出装置の駆出要素がロック解除され、さらなる開動作のためにユーザが家具フラップ２の背後に楽に指をかけることができるに程度まで家具部分２を駆出させる。駆出動作の当初状態は図３に示されている。（矢印で示す）下方フラップ部分かけられる軽い圧力のため、駆出要素は押し込まれ、すなわち圧縮バネ４によって作用を受ける方向とは反対の方向に移動される。この結果、ロック装置の傾斜レバー１９がロック解除される（図７ｂ参照）。
【００２２】
さらなる結果として（図４参照）、力蓄積手段４に蓄積されたエネルギーが解放され、その結果、駆出装置３の駆出要素が駆出される。駆出要素の前方部品１５が折り畳みフラップ扉に接することでフラップ扉を閉位置から開位置へと移動させる。
【００２３】
図１の説明において既に述べたように、ボーデンケーブル６のボーデンケーブルコア３４の第２端は駆出要素の後方部品１６に接続されている。この結果、駆出動作において、ボーデンケーブルコア３４はフレキシブルな外側ケーシング３５を通って一定距離だけ引っ張られる。これは例えば、ボーデンケーブルのボーデンケーブルコア３４の第１端が下方に移動したという事実から分かるであろう。
【００２４】
その駆出動作において、折り畳みフラップ扉２は、家具枠体２５から、ユーザが折り畳みフラップ扉の背後で問題なく指をかけることができ、それをさらに手動で開けることができる程度（典型的には５ｃｍから１０ｃｍ）にまで移動されている（図５参照）。フラップ扉２に接続された調節駆動装置２３は、この場合には、どの位置においても家具フラップ扉２の重量による力を相殺する目的のために作用する。これは、折り畳みフラップ扉２が再び閉じることなくどの位置においても保持されることを意味している。
【００２５】
図４と図５の比較から明らかとなるように、調節輪郭部８は開方向における折り畳みフラップ扉２の旋回動作の間、時計回り方向に回転する。この特定形状によって、この場合に調節輪郭部８はダブルアームレバー１０を逆向きの回転方向で偏向回転させる。このため、さらなる結果として、ボーデンケーブル６のボーデンケーブルコア３４の第１端１１は上方に引っ張られる。さらに、ダブルアームレバー１０の２本のアームは長さが異なるため、有利な力比が提供されていることは注目に値する。
【００２６】
ボーデンケーブルのボーデンケーブルコア３４の第１端１１に引張力が及ぼされているため、ボーデンケーブルのボーデンケーブルコア３４の第２端１３、すなわち駆出装置３の駆出要素はその元の位置の方向に戻る（図２参照）。同時に駆出要素の後方部品１６と収容体３３との間に固定式に保持されている圧縮バネ４が荷重される。したがって全てを考慮すると、折り畳みフラップ扉２を開けるためにユーザによって及ぼされる力の一部は、駆出装置３の力蓄積手段４を荷重するために利用される。この場合には、力のこの部分の伝達はボーデンケーブル６によって実行される。
【００２７】
力蓄積手段４の荷重過程は、駆出要素がそのロック位置に再び到達するまで続行される。この時に押圧ローラ７は制御輪郭部８の位置３６に存在する（図６参照）。同時に、折り畳みフラップ扉２は、閉位置（図２参照）と完全開位置（図６参照）との間の中央位置をとる。折り畳みフラップ扉２のさらなる開動作において、力蓄積手段４はそれ以上荷重されない。これは、回転点３０に対する周囲面の間隔が点３６と３７との間でさらに増加しないように設計されている中立部分９の制御輪郭部８の構造によって達成される。したがって、制御輪郭部８のさらなる回転動作時に、ダブルアームレバー１０の位置は変化しない。
【００２８】
折り畳みフラップ扉２が閉じられるとき、（フラップ扉の開動作と比べて）制御輪郭部８とダブルアームレバー１０とが反対向きの動作を実行する。しかしながらボーデンケーブル６のボーデンケーブルコア３４の第１端１１は、駆出要素がロックされているので、その位置に留まる。
【００２９】
図７ａから図７ｅは、駆出装置３の概略断面図を連続的に示している。この点において図７ａと図７ｅは、駆出要素がロックされている駆出装置３の状態を示している。図７ｂから図７ｄは、図３から図５の駆出装置３の状態を示している。
【００３０】
駆出装置３の駆出要素のロックは、駆出要素の後方部品１６に回転軸３８周囲で回転可能に取り付けられた傾斜レバー１９の右側アームが、圧縮バネ２２によってラッチ突起部２０が駆出装置３の収容体３３の対応する縁部３９に対してロック関係となるよう押圧されるときに実行される（図７ａから図７ｅ参照）。
【００３１】
ロック解除は、駆出要素の前方部品１５が、２つの部品１５と１６との間に配置された圧縮バネ１７の作用方向とは反対方向に距離１４にわたって後方部品１６側に移動されたときに実行される（図７ｂ参照）。駆出要素の前方部品１５には傾斜面（図１も参照）が配置されており、その傾斜面は、ロック解除動作において、ラッチ突起部２０を有していない、傾斜レバー１９の第２アームに配置された対応する傾斜面２１に当接する。この結果、傾斜面２１を有する傾斜レバー１９のアームは下方に移動され、反対側のアームは圧縮バネ２２の作用方向に対抗して上方に移動され、さらに詳細には、ラッチ突起部２０が収容体３３の縁部３９を越えるまで移動される。よって駆出要素は、力蓄積手段４から解放されたエネルギーで駆出方向に妨害されずに移動できる（図７ｃ参照）。
【００３２】
荷重動作中に（図７ａ参照）、駆出要素はボーデンケーブル６によってその元の位置の方向に再び引っ張られ、さらに詳細にはラッチ突起部２０を有する傾斜レバー１９のアームが、圧縮バネ２２の作用でロック位置に再び戻ることができるまで再び引っ張られる。
【図１】
0006009656.tif 000002
【図２】
0006009656.tif 000003
【図３】
0006009656.tif 000004
【図４】
0006009656.tif 000005
【図５】
0006009656.tif 000006
【図６】
0006009656.tif 000007
【図７ａ】
0006009656.tif 000008
【図７ｂ】
0006009656.tif 000009
【図７ｃ】
0006009656.tif 000010
【図７ｄ】
0006009656.tif 000011
【図７ｅ】
0006009656.tif 000012